(57)【要約】【課題】軽量化を維持しつつ転倒防止策を講じることができる自律制御型草刈機を提供する。【解決手段】自律制御型草刈機では、斜面を横切る、トラバース走行のときに転倒の危険性が増す。ＳＴ０５で斜面を登っているときにトラバース走行に移行した場合は、走行方向を斜面上側へ変更して転倒を回避する。または、ＳＴ１２で斜面を下っているときにトラバース走行に移行した場合は、走行方向を斜面下側へ変更して転倒を回避する。【効果】転倒対策として、格別の部品を草刈機に追加する必要はないため、重量が増加することはない。【選択図】図８
2020025495.tif 000002
【特許請求の範囲】
【請求項１】
機体に、旋回する刈刃と、この刈刃より前に配置される前輪と、前記刈刃より後に配置される後輪と、前記後輪を回転制御すると共に前記前輪を操舵制御する制御部とを備え、自律走向する自律制御型草刈機において、
前記機体に、この機体の傾斜角度及び傾斜方位を検知する傾斜角センサを備え、
前記制御部は、
前記傾斜角センサの検知情報に基づいて、前記機体が斜面を登っていることを認識するステップと、このステップに引き続いて前記機体が前記斜面を横切るトラバース走行をしていることを認識するステップと、このステップでトラバース走行が認識されたら前記傾斜角度が転倒危険角度を超えていることを認識するステップと、このステップで転倒の危険が迫っていると認識されたら進行方向を斜面上側に向けるよう操舵するステップと、
前記傾斜角センサの検知情報に基づいて、前記機体が斜面を下っていることを認識するステップと、このステップに引き続いて前記機体が前記斜面を横切るトラバース走行をしていることを認識するステップと、このステップでトラバース走行が認識されたら前記傾斜角度が転倒危険角度を超えていることを認識するステップと、このステップで転倒の危険が迫っていると認識されたら進行方向を斜面下側に向けるよう操舵するステップと、
を実施することを特徴とする自律制御型草刈機。
【請求項２】
請求項１記載の自律制御型草刈機であって、
前記制御部は、
前記傾斜角センサの検知情報に基づいて、前記機体が斜面を登っていなく且つ斜面を下っていないことを認識するステップと、このステップに引き続いて前記機体が斜面を横切るトラバース走行をしていることを認識するステップと、このステップでトラバース走行が認識されたら前記傾斜角度が転倒危険角度を超えていることを認識するステップと、このステップで転倒の危険が迫っていると認識されたら進行方向を斜面上側に向ける、又は後進するステップと、
を実施することを特徴とする自律制御型草刈機。
【請求項３】
請求項１又は請求項２記載の自律制御型草刈機であって、
前記前輪及び前記後輪は、各々電動モータを備えている、全輪駆動車であることを特徴とする自律制御型草刈機。
【発明の詳細な説明】
【技術分野】
【０００１】
本発明は、無人で草刈り作業を行う自律制御型草刈機に関する。
【背景技術】
【０００２】
人手による草刈り作業は重労働である。作業者や管理者の負担を軽減するために、草刈機が開発され、実用に供されるようになってきた。
ただし、草が生えている地面は起伏に富むため、草刈機は転倒することがある。そこで、転倒対策を講じた草刈機が提案されてきた（例えば、特許文献１参照）。
【０００３】
特許文献１に開示される管理機は、草刈機を兼ねるものであって、特許文献１の図２に示されるように、左右に延びる転倒防止アーム（１４ａ）（括弧付き数字は、特許文献１に記載された符号を示す。以下同様）を備えている。
特許文献１の図７（ａ）に示されるように、通常は転倒防止アーム（１４ａ）の先端から鉛直に延びるロッド（符号無し）は、収納されている。
機体が転倒の危険性があるほど、傾いた場合には、特許文献１の図７（ｂ）に示されるように、転倒防止アーム（１４ａ）からロッド（符号無し）が下がり、このロッドの下端が地面に当たる。ロッドが支え棒になるため、機体の転倒が回避される。
【０００４】
ところで、一層の無人化を達成するために、草刈機が自律的に走向しつつ草刈りを行う自律制御型草刈機が各種提案されてきた（例えば、特許文献２参照）。
【０００５】
特許文献２に開示される自律制御型草刈機には、転倒防止機構が備えられていない。そのため、草刈機が転倒した場合には、草刈機の走行が停止する信号を発し、管理者に知らせることが想定される。管理者は管理室から草刈り現場まで直行し、草刈機を引き起こすなどの処理を行う。
自律制御型草刈機は、管理者の手を煩わせないことが最大の利点である。しかし、転倒が頻繁に起こると、管理者の負担が多くなり、好ましくない。
【０００６】
そこで、特許文献２に開示される自律制御型草刈機に特許文献１に開示される転倒防止アームを付設することが、考えられる。
しかし、これでは自律制御型草刈機が重くなると共に価格が高騰する。
【０００７】
軽量化とコスト抑制が求められる中、軽量化を維持しつつ転倒防止策を講じた自律制御型草刈機が望まれる。
【先行技術文献】
【特許文献】
【０００８】
【特許文献１】特開２００３−２３８０７号公報
【特許文献２】国際公開第２０１７／０５１６６２号パンフレット
【発明の概要】
【発明が解決しようとする課題】
【０００９】
本発明は、軽量化を維持しつつ転倒防止策を講じることができる自律制御型草刈機を提供することを課題とする。
【課題を解決するための手段】
【００１０】
請求項１に係る発明は、機体に、旋回する刈刃と、この刈刃より前に配置される前輪と、前記刈刃より後に配置される後輪と、前記後輪を回転制御すると共に前記前輪を操舵制御する制御部とを備え、自律走向する自律制御型草刈機において、
前記機体に、この機体の傾斜角度及び傾斜方位を検知する傾斜角センサを備え、
前記制御部は、
前記傾斜角センサの検知情報に基づいて、前記機体が斜面を登っていることを認識するステップと、このステップに引き続いて前記機体が前記斜面を横切るトラバース走行をしていることを認識するステップと、このステップでトラバース走行が認識されたら前記傾斜角度が転倒危険角度を超えていることを認識するステップと、このステップで転倒の危険が迫っていると認識されたら進行方向を斜面上側に向けるよう操舵するステップと、
前記傾斜角センサの検知情報に基づいて、前記機体が斜面を下っていることを認識するステップと、このステップに引き続いて前記機体が前記斜面を横切るトラバース走行をしていることを認識するステップと、このステップでトラバース走行が認識されたら前記傾斜角度が転倒危険角度を超えていることを認識するステップと、このステップで転倒の危険が迫っていると認識されたら進行方向を斜面下側に向けるよう操舵するステップと、を実施することを特徴とする。
【００１１】
請求項２に係る発明は、請求項１記載の自律制御型草刈機であって、
前記制御部は、
前記傾斜角センサの検知情報に基づいて、前記機体が斜面を登っていなく且つ斜面を下っていないことを認識するステップと、このステップに引き続いて前記機体が斜面を横切るトラバース走行をしていることを認識するステップと、このステップでトラバース走行が認識されたら前記傾斜角度が転倒危険角度を超えていることを認識するステップと、このステップで転倒の危険が迫っていると認識されたら進行方向を斜面上側に向ける、又は後進するステップと、
を実施することを特徴とする。
【００１２】
請求項３に係る発明は、請求項１又は請求項２記載の自律制御型草刈機であって、
前記前輪及び前記後輪は、各々電動モータを備えている、全輪駆動車であることを特徴とする。
【発明の効果】
【００１３】
請求項１に係る発明では、草刈機が斜面を登っているときにトラバース走行に移行したときは、進行方向を斜面上側へ変更する。危険なトラバース走行を安全な登り走行に変更するため、草刈機が転倒する心配はない。また、草刈機が斜面を下っているときにトラバース走行に移行したときは、進行方向を斜面下側へ変更する。危険なトラバース走行を安全な下り走行に変更するため、草刈機が転倒する心配はない。
【００１４】
転倒対策として、格別の部品を草刈機に追加する必要はないため、重量が増加することはない。
すなわち、請求項１によれば、軽量化を維持しつつ転倒防止策を講じることができる自律制御型草刈機が提供される。
【００１５】
請求項２に係る発明では、草刈機が登っても下ってもいない場合に、急斜面をトラバース走行するとき、進行方向を斜面上へ変更する、又は後進させる。これで、草刈機は転倒する心配がなくなる。
請求項２により、請求項１の登り、下りに加えて斜面を単に横切る場合での転倒を回避することができる。
【００１６】
請求項３に係る発明では、自律制御型草刈機を全輪駆動車とした。全輪駆動車であれば、凹凸や起伏に富んだ地面を継続して走行させることができ、草刈り作業を継続させることができる。
【図面の簡単な説明】
【００１７】
【図１】本発明に係る自律制御型草刈機の正面図である。
【図２】本発明に係る自律制御型草刈機の右側面図である。
【図３】本発明に係る自律制御型草刈機の底面図である。
【図４】本発明に係る自律制御型草刈機の平面視構成図である。
【図５】自律制御型草刈機の作用説明図である。
【図６】斜面を登る自律制御型草刈機の作用説明図である。
【図７】斜面を下る自律制御型草刈機の作用説明図である。
【図８】制御フローを説明する図である。
【図９】斜面を単に横切る自律制御型草刈機の作用説明図である。
【発明を実施するための形態】
【００１８】
本発明の実施の形態を添付図に基づいて以下に説明する。なお、図面は符号の向きに見るものとする。
【実施例】
【００１９】
図１に示すように、自律制御型草刈機（以下、草刈機という）１０は、前輪１１と、左後輪１２Ｌと、右後輪１２Ｒを備えている。また、草刈機１０は、カバー１３の前面中央に横長矩形の開口部１４を有している。この開口部１４の奥に、Ｖ字部品（図４、符号３６）が配置される。
図２に示すように、前輪１１と、後輪車軸１５との間に、カッターハウジング１６を有する。
【００２０】
図３に示すように、底面視で、機体１８に、旋回する刈刃１９と、この刈刃１９より前に配置される前輪１１と、刈刃１９より後に配置される後輪１２Ｌ、１２Ｒとを備える草刈機１０において、この草刈機１０は、刈刃１９より前輪１１側に配置される左ワイヤセンサ２１Ｌ及び右ワイヤセンサ２１Ｒを備えている。
【００２１】
左ワイヤセンサ２１Ｌ及び右ワイヤセンサ２１Ｒは、刈刃１９の旋回円２２より外であれば、任意の位置に配置することができる。旋回円２２から前にαだけ離れた位置で、且つ旋回円２２から左に（図では右へ）βだけ離れた位置に左ワイヤセンサ２１Ｌを配置する。同様に、旋回円２２から前にαだけ離れた位置で、且つ旋回円２２から右にβだけ離れた位置に右ワイヤセンサ２１Ｒを配置する。βはαと同じであっても異なっていても差し支えない。
【００２２】
図４は、図３を反転した平面図である。
図４に示すように、刈刃１９は刈刃モータ２４で駆動される。この刈刃モータ２４はバッテリ２５から給電されると共にドライバ２６を介して、制御部２７で回転速度及び正転、停止、逆転が制御される。刈刃モータ２４が過負荷状態になったときには逆転制御される。
【００２３】
前輪１１は前輪モータ２８で駆動される。この前輪モータ２８はバッテリ２５から給電されると共にドライバ２９を介して、制御部２７で回転速度及び正転、停止、逆転が制御される。
前輪１１は操舵輪であり、操舵モータ３１で操舵される。この操舵モータ３１は、バッテリ２５から給電されると共にドライバ３２を介して、制御部２７で直進、左操舵、右操舵の制御がなされる。
【００２４】
左後輪１２Ｌは左後輪モータ３３Ｌで駆動される。この左後輪モータ３３Ｌはバッテリ２５から給電されると共にドライバ３４Ｌを介して、制御部２７で回転速度及び正転、停止、逆転が制御される。
同様に、右後輪１２Ｒは右後輪モータ３３Ｒで駆動される。この右後輪モータ３３Ｒはバッテリ２５から給電されると共にドライバ３４Ｒを介して、制御部２７で回転速度及び正転、停止、逆転が制御される。
【００２５】
ところで、特許文献２で開示される従来の自律制御型草刈機は、全輪駆動車ではない。そのため、何らかの理由（例えば、刈刃を囲うカッターハウジングが瘤に乗り上げるなど）で、駆動輪である後輪が地面から浮き上がると、走行不能となる。この場合、管理者が草刈機まで走っていって、瘤から草刈機を離脱させる。
【００２６】
対して、本発明の草刈機１０は、全輪駆動車であるため、前輪１１が地面に接していれば、後輪１２Ｌ、１２Ｒが浮いたとしても、走行が継続される。結果、管理者の負担が軽減される。
【００２７】
また、本発明の草刈機１０では、前輪１１は、左右２輪であってもよいが、実施例では、１輪とした。１輪であれば、前輪モータ２８、ドライバ２９、操舵モータ３１及びドライバ３２の数が半分になり、コストダウンが図れる。
【００２８】
作図の都合で、カバー１３の外に示したバッテリ２５及び制御部２７は、カバー１３内に配置される。
カバー１３の前部に、Ｖ字部品３６が収納され、このＶ字部品３６に充電端子３７が設けられている。充電端子３７を介して、外部からバッテリ２５へ充電される。
【００２９】
また、本発明の草刈機１０は、傾斜角センサ４０を備えている。傾斜角センサ４０は、重りを内蔵する機械的センサでもよいが、Ｇセンサと呼ばれる加速度センサが好適である。Ｇセンサは、地球中心に向く重力軸を基準にして傾斜角度を演算で求めるため、傾斜角度に加えて傾斜方位も算出できる。加えて、加速度センサであれば、機体が岩などの障害に衝突したときの衝撃力を検出できる。
【００３０】
傾斜角センサ４０の位置は任意であるが、草刈機１０の前後方向中央で且つ幅方向中央に配置することが推奨される。
【００３１】
以上の述べた草刈機１０の作用を、以下に説明する。
図５に示すように、草刈機１０は、矢印（１）のように直進し、矢印（２）のように左旋回し、矢印（３）のように右旋回し、矢印（４）のように後進する。
【００３２】
図６に示すように、草刈り場が水平面４２と、この水平面４２に続く緩斜面４３と、この緩斜面４３に続く急斜面４４と、この急斜面４４に続く尾根状の頂面４５とからなる。
水平面４２で前進しつつ草を刈っている草刈機１０が、緩斜面４３に進入した後に、矢印（５）のように、緩斜面４３をトラバース（横切る）ときには、草刈機１０は転倒しない。
【００３３】
一方、草刈機１０が、緩斜面４３より急な急斜面４４を登り、その後に、矢印（６）のように、急斜面４４をトラバースすると転倒の危険性が増す。
このときに、本発明では、走行方向が斜面上側に向くように、すなわち、走行方向が頂面４５を向くように旋回させる（矢印（７））。
進行方向が十分に斜面上側に向くように旋回したら、斜面登りを若干継続する。この継続により、斜面の傾斜が増すようであれば、前進を停止し、後進を開始する。矢印（８）の後進を、一定時間又は一定距離継続する。すると、草刈機１０は、緩斜面４３又は水平面４２に戻る。戻ったら、通常運転に移行する。無論、矢印（５）〜矢印（８）の間、刈刃の回転は継続し、草刈りは継続される。
【００３４】
図６では草刈機１０が斜面の登った後にトラバース走行に移行したが、草刈機１０が斜面を下った後にトラバース走行に移行する場合もある。このときの作用を図７で説明する。
図７に示すように、水平面４２を走行している草刈機１０が、矢印（１１）のように斜面４５を下りつつ旋回し、トラバース走行に移行すると転倒の危険性が増す。
このときに、本発明では、走行方向が斜面下側に向くように旋回させる（矢印（１２））。これで転倒は回避される。移行は傾斜角の増減に応じて前進又は後進が選択される。
以上により、草刈機１０がトラバース中に転倒することが無くなり、管理員の負担が無くなる。
【００３５】
本発明で実施する制御ステップを、図８に基づいて詳しく説明する。
図８にて、先ず、転倒危険角度θｅｍを設定する（ＳＴ０１）。この転倒危険角度θｅｍは、草刈機の重心位置や、左右後輪間隔などから決定される。具体的には、草刈機をトラバース走行させて転倒角度を求め、この転倒角度に安全を見込んで転倒危険角度θｅｍを決め、制御部へインプットする。
【００３６】
草刈機を前進させつつ草刈り作業を開始する（ＳＴ０２）。
作業中は、傾斜センサから傾斜角度θａｃｔを情報を読み込み（ＳＴ０３）、傾斜方位情報を読み込む（ＳＴ０４）。傾斜方位情報により、トラバース走行か否かや、斜面上側や斜面下側の方向を知ることができる。
【００３７】
ＳＴ０５で草刈機が斜面を登っているか否かを調べる。斜面を登っているときには、ＳＴ０６でトラバース走行をしているかを調べる。否であれば、ＳＴ０２とＳＴ０３の間に戻る。トラバース走行と認識されたときは、ＳＴ０７に進む。
ＳＴ０７で、傾斜角度θａｃｔが転倒危険角度θｅｍを超えているか否かを調べる。否であれば転倒する心配がないので、ＳＴ０２とＳＴ０３の間に戻る。傾斜角度θａｃｔが転倒危険角度θｅｍを超えていると認識されたときには、進行方向を斜面上側へ変更する（ＳＴ０８）。
【００３８】
進行方向が斜面上側へ変更されると、草刈機は上へ前進する。
ＳＴ０９で、傾斜角度θａｃｔが増加するか否かを調べる。
否であれば傾斜角度θａｃｔが増加しないため、前進を継続する（ＳＴ１０）。
ＳＴ０９で、傾斜角度θａｃｔが増加すると判定されたときには、このままでは転倒するため、前進を止め、後進に切り替え、一定時間後進させ、その後に前進に切り替える（ＳＴ１１）。
【００３９】
また、ＳＴ０５で否とされたときには、ＳＴ１２で、草刈機が斜面を下っているか否かを調べる。斜面を下っているときには、ＳＴ１３で、トラバース走行をしているかを調べる。否であれば、ＳＴ０２とＳＴ０３の間に戻る。トラバース走行と認識されたときは、ＳＴ１４に進む。
ＳＴ１４で、傾斜角度θａｃｔが転倒危険角度θｅｍを超えているか否かを調べる。否であれば転倒する心配がないので、ＳＴ０２とＳＴ０３の間に戻る。傾斜角度θａｃｔが転倒危険角度θｅｍを超えていると認識されたときには、進行方向を斜面下側へ変更する（ＳＴ１５）。
【００４０】
進行方向が斜面下側へ変更されると、草刈機は下へ前進する。
ＳＴ１６で、傾斜角度θａｃｔが増加するか否かを調べる。
否であれば傾斜角度θａｃｔが増加しないため、前進を継続する（ＳＴ１７）。
ＳＴ１６で、傾斜角度θａｃｔが増加すると判定されたときには、このままでは転倒するため、前進を止め後進に切り替え、一定時間後進させ、その後に前進に切り替える（ＳＴ１８）。
【００４１】
ＳＴ０５が否で、且つＳＴ１２が否であれば、草刈機は斜面を登っても下ってもいないため、転倒の危険性はなく、ＳＴ０２とＳＴ０３の間に戻る。
ＳＴ１０、ＳＴ１１、ＳＴ１７又はＳＴ１８後に、運転終了指示の有無を調べ（ＳＴ１９）、運転終了指示が有ればこのフローを終了し、運転終了指示が無ければＳＴ０２とＳＴ０３の間に戻る。
以上により、草刈り場に急斜面があっても、草刈機を転倒させることなく、草刈り作業を継続させることができ、草刈り作業の効率化を図ることができる。併せて、転倒することがないため、管理者の負担を大幅に軽減することができる。
【００４２】
なお、以上は草刈機が、斜面を登る場合と、下る場合とを説明したが、草刈機は斜面を単に横切る場合もある。
図９に示すように、緩斜面４３の横隣りに急斜面４４が続いている。緩斜面４３を横切るように走行する草刈機１０は、矢印（１３）のように、急斜面４４に進入する。このままでは草刈機１０は転倒する危険性がある。
そこで、制御部は矢印（１４）のように、走行方向を斜面の上に向けるように制御する。又は、矢印（１５）のように、後退させる。後退させることにより、草刈機１０は緩斜面４３に戻る。
【００４３】
すなわち、制御部は、機体（草刈機）が斜面を登っていなく且つ斜面を下っていないことを認識し、機体が斜面を横切るトラバース走行をしていることを認識し（矢印（１３））、トラバース走行が認識されたら傾斜角度が転倒危険角度を超えていることを認識し、転倒の危険が迫っていると認識されたら進行方向を斜面上側に向ける（矢印（１４））の制御を実施する。
【００４４】
又は、制御部は、機体（草刈機）が斜面を登っていなく且つ斜面を下っていないことを認識し、機体が斜面を横切るトラバース走行をしていることを認識し（矢印（１３））、トラバース走行が認識されたら傾斜角度が転倒危険角度を超えていることを認識し、転倒の危険が迫っていると認識されたら後進する（矢印（１５））の制御を実施する。
【００４５】
転倒の危険が迫ったときに、制御部に進行方向を斜面上側に向ける（矢印（１４））の制御を実施させた後、傾斜角度が増加することを検知したら、矢印（１４）を逆走行させた上で、後進（矢印（１５））させるようにしてもよい。
矢印（１４）では草刈り作業が継続されるが、矢印（１５）では刈ったところを後進させるため、草刈り作業は期待できない。よって、矢印（１４）を優先し、矢印（１５）を次善策とすることが推奨される。
【００４６】
尚、本発明の草刈機は、芝刈機に適用することは差し支えない。
【産業上の利用可能性】
【００４７】
本発明の草刈機は、起伏に富んだ地面での草刈りに好適である。
【符号の説明】
【００４８】
１０…自律制御型草刈機（草刈機）、１１…前輪、１２Ｌ…左後輪、１２Ｒ…右後輪、１８…機体、１９…刈刃、２７…制御部、４０…傾斜角センサ、θａｃｔ…傾斜角度、θｅｍ…転倒危険角度。
【図１】
2020025495.tif 000003
【図２】
2020025495.tif 000004
【図３】
2020025495.tif 000005
【図４】
2020025495.tif 000006
【図５】
2020025495.tif 000007
【図６】
2020025495.tif 000008
【図７】
2020025495.tif 000009
【図８】
2020025495.tif 000010
【図９】
2020025495.tif 000011